(57)【要約】【課題】トリチウム水などを含む処理水を水深１０００ｍ前後の深海で数十日以上かけて緩やかに放出し、漁業に悪影響が及ばない方法に関する。【解決手段】フレキシブルタンク１は外周に沿い何カ所か浮力材３とバラスト２をバラストの離脱装置５にロープ４で取りつけてある。バラスト２はフレキシブルタンク１にトリチウム水６を満杯に注入した場合、フレキシブルタンク１の下部が海底に着く位置とほぼ同じ位置にロープ４の長さを設定する。フレキシブルタンク１の上半分には小さなウエイトを取りつけたネット７を被せてありフレキシブルタンク１が海底に着地した段階からネット７は沈み始め、タンク内部は緩やかに圧迫されトリチウム水６はノズル８から外に押し出される。すべてトリチウムス水が排出されるとセンサー１０が感知しバラスト離脱装置が作動して全体が浮上し再使用が可能である。【選択図】図２
2019211454.tif 000002
【特許請求の範囲】
【請求項１】
トリチウム水など放射性物質を含んだ水溶液を入れるフレキシブルタンクの外周に何か所かバラストと浮力材を同じ位置に上下にロープの先に取り付け、フレキシブルタンクの上面にはほぼ全体に小さなウエイトを取りつけたネットで覆い、フレキシブルタンクが海底に着地するとその自重でタンクの上部が下部に落ちてくるようにし、
かつフレキシブルタンクの下部には少し内圧がかかるとトリチウム水が放出される細いパイプを取り付ける、
ことを特長とする海底でトリチウム水などを放出するフレキシブルタンク
【請求項２】
前記のフレキシブルタンクの内部の上面には何か所かセンサーを取り付け、フレキシブルタンクの内部のトリチウム水がほとんど排出されタンク上部が下部にほぼ接する状態になり、すべてのセンサーがそれを感知すると、フレキシブルタンクの外周に取りつけたバラスト離脱装置が作動して切り離し、
フレキシブルタンク全体が浮上してくる、
ことを特長とする請求項１に記載されたフレキシブルタンク
【請求項３】
前記フレキシブルタンクの上部には細長い空気の出し入れができる空気袋を取り付け、トリチウム水を注入する際は膨らませて全体を完全に浮上させ、沈降させる際は空気を抜くとバラストで沈降する、
ことを特長とする請求項１に記載されたフレキシブルタンク
【発明の詳細な説明】
【技術分野】
【０００１】  本発明は、トリチウム水などを含む原子力発電所の汚染水を水深１０００ｍ前後の深海底で緩やかに放出し、漁業に悪影響が及ばない方法に関する。
【背景技術】
【０００２】  特に福島第一原子力発電からでる汚染水は処理をしても高い濃度のトリチウム水が残り、今後も一日１６０トン前後も蓄積されていく。またこれまでに約１００万トンのトリチウム水を含んだ処理水が敷地内のタンクに溜っている。
新規のタンク建設用地もほとんどなく、トリチウム水の海洋放出が急がれている。しかしその濃度は国の定めた基準値よりも高く、量も多く、それを直接前面の海域への放出することに地元の漁業組合は同意の姿勢が見れられない。対策にはトリチウム水をその近海で放出しても漁業への影響は皆無に近いという工法が必要である。
【発明の概要】
【発明が解決しようとする課題】
【０００３】  上述の問題に対し、本発明は沖の領海限界付近、水深が６００〜１０００ｍの海底で緩やかにトリチウム水やその他の放射性物質を含む汚染水などを放出し、漁業や環境への影響を限りなく軽微にすることを課題とする。
【課題を解決するための手段】
【０００４】  上記の課題に対し、本発明はトリチウム水などを入れる直径が１０〜３０ｍ，全長が３０〜４０ｍの長円形の防水シートに近い素材からできているフレキシブルタンクの外周に、何か所かバラストと浮力材を海中でそれだけの関係では全体が沈降する状態で同じ位置に上下にそれぞれロープの先に取り付ける。
このフレキシブルタンクの上面にはほぼ全体に小さなウエイトを取りつけたネットで覆い、フレキシブルタンクが海底に着地するとその自重で自然に上部が下部に落ちてくるようにし、かつこのフレキシブルタンクの下部には少し内圧がかかるとトリチウム水が放出される細いパイプを取り付け海底でトリチウム水を放出するような構造とする。【０００５】  このフレキシブルタンク内部の上面には何か所かセンサーを取り付け、フレキシブルタンク内部のトリチウム水が上の小さなウエイトを取りつけたネットの重さで圧迫され排出され、やがてタンク上部が下部にほぼ接する状態になり、すべてのセンサーがそれを感知すると、フレキシブルタンクの外周に取りつけたバラストの離脱装置が作動して切り離す。これによりフレキシブルタンク全体は浮上してくる。【０００６】  このフレキシブルタンクの外側上部には全体に細長い空気袋が取り付けてあり海面でトリチウム水を注入する際はこれに空気を入れて膨らませて全体を浮上させて作業を行い、作業が終了しフレキシブルタンクを海底に沈める際は空気袋のベント弁を開いて沈降させる。
【発明の効果】
【０００７】  本発明によればトリチウム水を漁業に関係のない沖の約１０００ｍ近い海底で例えば一か月あるいは２か月をかけて緩やかに放出させることが可能となり、かつフレキシブルタンクは内容物が空になると自動的に浮上してくるので、容易に回収ができる。
【図面の簡単な説明】
【０００８】
【図１】本発明の一実施例を示すフレキシブルタンクの正面図
【図２】本発明の一実施例を示すフレキシブルタンクの断面図
【図３】本発明の一実施例を示す海底でフレキシブルタンクのトリチウム水がほぼ空になった状態の断面図
【発明を実施するための形態】
【０００９】  添付の図面を参照に本発明の実施の形態について以下に説明する。
【００１０】  図１は本発明の実施形態に係るフレキシブルタンク１の全体構成を示し、直径２０〜３０メートル、全長は３０〜４０メートルで、外周に沿い何カ所かロープ４に取りつけてある浮力材３とバラスト離脱装置５にロープ４で装着されたバラスト２をそれぞれ上下別々に取りつける。浮力材３の位置はフレキシブルタンク１にトリチウム水６を満杯に注入した場合、海面にわずかに浮く程度の取りつけ方とする。バラスト２はフレキシブルタンク１にトリチウム水６を満杯に注入した場合、フレキシブルタンク１の下部が海底に着く位置とほぼ同じ位置にロープ４の長さを設定する。
【００１１】  図２に示すフレキシブルタンク１の上半分には小さなウエイトを取りつけたネット７を被せてある。これによりフレキシブルタンク１全体が海底に着地した段階からネット７は沈み始め、フレキシブルタンク１の内部には緩やかに圧迫され、トリチウム水６はノズル８から外に押し出されるようになる。
【００１２】  図２に示すフレキシブルタンク１の上部には別の直径１メートル程度の空気袋９が取りつけてあり、その下部には穴１３があり、十分膨らんだ時はそこから空気が出て破裂しないようにしてある。フレキシブルタンク１にトリチウム水５を注入する際はこの空気袋９を膨らまし全体が浮いた状態となるようにしておく。かつトリチウム水の注入が終了した段階ではそれに取りつけてあるベント弁１１を開いて海水を注入しフレキシブルタンクを海底に沈降させる。
【００１３】  海底にフレキシブルタンク１が着地し、内部のトリチウム水がネット７の重みで緩やかに外にすべて排出されタンク内部の上面が下部に接する状態になると図３に示すようにフレキシブルタンク内部の上部に取りつけたセンサー１０がそれを感知する。このようなセンサーは内部にいくつか取りつけてあり、すべてが感知するとバラスト２を取りつけてある離脱装置が作動してそれを切り離す。これによりフレキシブルタンク１は浮上材３により海面に浮き上がってくる。そして浮力材に取りつけてある無線機１２が作動して位置を知らせる。これら一連の作動には当然電池が必要で当然備えておくが図面では省略する。
【００１４】  本発明の実施形態によれば、トリチウム水を約１０００メートル近い漁業への影響がほとんどない深海に緩やかに放出できる。かつ放出の量はフレキシブルタンク１の上部に取りつけた小さな重りの着いたネット７の重量とノズル８の口径により一日あたりの放出する量を調整でき、環境に対し十分に配慮することが可能である。またこの間は監視の必要がない。またこのフレキシブルタンク１は繰り返し使用できるので費用面でも負担が少ない点も利点である。
【符号の説明】
【００１５】  １    フレキシブルタンク
２    バラスト
３    浮力材
４    ロープ
５    バラストの離脱装置
６    トリチウム水
７    小さな重りの着いたネット
８    ノズル
９    空気袋
１０  センサー
１１  ベント弁
１２  無線機
１３  空気袋の穴
【図１】
2019211454.tif 000003
【図２】
2019211454.tif 000004
【図３】
2019211454.tif 000005